(57)【要約】【課題】  ボタン電話機において不在転送で外線への発信を行う場合は、転送者対応に明確に通話料金を管理できるようにする。【解決手段】  転送機能付き音声記録装置１０１は、電話機１１０に着信を受け不在転送機能を使用する場合に、外線への発信を行うかどうかを判断し、外線への発信を行う場合は局線１２０を捕捉して外線発信を行う。料金管理システム１０２は、外線発信後不在転送機能を使用した電話機に課金する。【選択図】      図１
2005045594.tif 000002
【特許請求の範囲】
【請求項１】
電話機及び局線が接続されたボタン電話機であって、前記電話機に着信を受け不在転送機能を使用する場合に外線への発信を行うかどうかを判断し前記外線への発信を行う場合は前記局線を捕捉して外線発信を行う転送機能付き音声記録装置と、前記不在転送機能を使用した前記電話機に課金する料金管理システムを含んで構成されることを特徴とするボタン電話機の課金処理方式。
【請求項２】
前記転送機能付き音声記録装置は、前記外線への発信を行わない場合は前記電話機に着信してきた相手の通話内容を予め保持する記録装置に記録することを特徴とする請求項１記載のボタン電話機の課金処理方式。
【請求項３】
前記ボタン電話機は、前記不在転送機能を使用しない場合は、前記電話機の呼出を続けることを特徴とする請求項１記載のボタン電話機の課金処理方式。
【請求項４】
前記料金管理システムは、前記外線への発信を行う場合少なくとも発信先までの距離と通話時間から通話料金の計算を行うことを特徴とする請求項１記載のボタン電話機の課金処理方式。
【請求項５】
電話機及び局線が接続され転送機能を管理する転送機能付き音声記録装置と課金を管理する料金管理システムを含んで構成されるたボタン電話機にあって、前記転送機能付き音声記録装置は前記電話機に着信を受け不在転送機能を使用する場合に外線への発信を行うかどうかを判断し前記外線への発信を行う場合は前記局線を捕捉して外線発信を行い、前記料金管理システムは前記外線発信後前記不在転送機能を使用した前記電話機に課金することを特徴とするボタン電話機の課金処理方法。
【請求項６】
前記転送機能付き音声記録装置は、前記外線への発信を行わない場合は前記電話機に着信してきた相手の通話内容を予め保持する記録装置に記録することを特徴とする請求項５記載のボタン電話機の課金処理方法。
【請求項７】
前記ボタン電話機は、前記不在転送機能を使用しない場合は、前記電話機の呼出を続けることを特徴とする請求項５記載のボタン電話機の課金処理方法。
【請求項８】
前記料金管理システムは、前記外線への発信を行う場合少なくとも発信先までの距離と通話時間から通話料金の計算を行うことを特徴とする請求項５記載のボタン電話機の課金処理方法。
【発明の詳細な説明】
【技術分野】
【０００１】
本発明はボタン電話機の課金処理方法に関し、特に、ボタン電話機の外線転送時における音声記録装置の課金処理方法および音声記録装置の課金処理方式に関する。
【背景技術】
【０００２】
従来、ボタン電話機において、操作者が不在時に着信があると、ボタン電話機にあらかじめ設定されている転送先に自動的に転送していた（例えば、特許文献１参照。）。
【０００３】
この場合、ボタン電話機の転送先への発信に対する課金処理は、ボタン電話機における音声記録装置に対してなされていた。
【０００４】
【特許文献１】特開昭６１−７９３５５号公報
【発明の開示】
【発明が解決しようとする課題】
【０００５】
上述した、従来のボタン電話機においては、転送先への発信に対する課金処理は、ボタン電話機における音声記録装置に対してなされていたため、課金の対象が音声記録装置となり、具体的に、転送者対応に明確に課金を識別できないという問題があった。
【課題を解決するための手段】
【０００６】
本願の第１の発明は、電話機及び局線が接続されたボタン電話機であって、前記電話機に着信を受け不在転送機能を使用する場合に外線への発信を行うかどうかを判断し前記外線への発信を行う場合は前記局線を捕捉して外線発信を行う転送機能付き音声記録装置と、前記不在転送機能を使用した前記電話機に課金する料金管理システムを含んで構成されることを特徴とする。
【０００７】
本願の第２の発明は、第１の発明の前記転送機能付き音声記録装置は、前記外線への発信を行わない場合は前記電話機に着信してきた相手の通話内容を予め保持する記録装置に記録することを特徴とする。
【０００８】
本願の第３の発明は、第１の発明の前記ボタン電話機は、前記不在転送機能を使用しない場合は、前記電話機の呼出を続けることを特徴とする。
【０００９】
本願の第４の発明は、第１の発明前の記料金管理システムは、前記外線への発信を行う場合少なくとも発信先までの距離と通話時間から通話料金の計算を行うことを特徴とする。
【００１０】
本願の第５の発明は、電話機及び局線が接続され転送機能を管理する転送機能付き音声記録装置と課金を管理する料金管理システムを含んで構成されるたボタン電話機にあって、前記転送機能付き音声記録装置は前記電話機に着信を受け不在転送機能を使用する場合に外線への発信を行うかどうかを判断し前記外線への発信を行う場合は前記局線を捕捉して外線発信を行い、前記料金管理システムは前記外線発信後前記不在転送機能を使用した前記電話機に課金することを特徴とする。
【００１１】
本願の第６の発明は、第５の発明の前記転送機能付き音声記録装置は、前記外線への発信を行わない場合は前記電話機に着信してきた相手の通話内容を予め保持する記録装置に記録することを特徴とする。
【００１２】
本願の第７の発明は、第５の発明の前記ボタン電話機は、前記不在転送機能を使用しない場合は、前記電話機の呼出を続けることを特徴とする。
【００１３】
本願の第８の発明は、第５の発明の前記料金管理システムは、前記外線への発信を行う場合少なくとも発信先までの距離と通話時間から通話料金の計算を行うことを特徴とする。
【発明の効果】
【００１４】
以上説明したように、本発明は、ボタン電話機において不在転送で外線への発信を行う場合は、着信電話機対応に課金できるようにしたことにより、転送者対応に明確に通話料金を管理できる効果がある。
【発明を実施するための最良の形態】
【００１５】
次に、本発明を実施するための最良の形態について図面を参照して詳細に説明する。
【００１６】
図１は、本発明の一実施の形態を示すブロック図である。
【００１７】
図１を参照すると、本発明に関わるボタン電話システムは、プログラム制御により動作するボタン電話主装置１００と、ボタン電話主装置に接続された電話機１１０と、同じくボタン電話主装置に接続された局線１２０とから構成されている。
【００１８】
ボタン電話主装置１００は、転送機能付き音声記録装置１０１と、料金管理システム１０２と、端末収容部１０３、局線収容部１０４、記憶部（メモリ）１０５とを含んで構成される。
【００１９】
ボタン電話主装置に含まれる手段・装置について、それぞれの概略を示す。
【００２０】
転送機能付き音声記録装置１０１は、音声による不在理由等の通知、通話録音、音声伝言を記録することが可能な装置である。
【００２１】
料金管理システム１０２は、課金の発生する通信を行った時に、発信先までの距離や通話時間などから通話料金の概算を行うための装置である。
【００２２】
端末収容部１０３は、端末を主装置に接続するための機器類である。
【００２３】
局線収容部１０４は、局線を主装置に接続するための機器類である。
【００２４】
記憶部１０５は、データ設定の内容を保存するためのメモリである。
【００２５】
メッセージ１０６は、電話機と音声記録装置間、音声記録装置と料金管理システム間などで、伝達される情報である。
【００２６】
次に、本発明を実施するための最良の形態の動作について図面を参照して説明する。
【００２７】
図２は、本発明の一実施の形態を示す動作フロー図である。
【００２８】
まず、電話機１１０に内線、或いは外線よりの着信を受ける（図２のＡ１）。次に、電話機１１０が不在転送機能を使用するかどうかを判断する（Ａ２）。不在転送機能を使用するかどうかは、記憶部１０５に予め内線対応に登録されている。不在転送機能を使用する時は、転送機能付き音声記録装置１０１が応答する（Ａ３）。不在転送機能を使用しない時は、呼出を続ける（Ａ４）。転送機能付き音声記録装置１０１は応答後に外線への発信を行うかどうかを判断する（Ａ５）。外線への発信を行うかどうかも、記憶部１０５に予め内線対応に登録されている。外線への発信を行わない場合は、伝言内容等を転送機能付き音声記録装置に記録し、通話を完了する（Ａ６）。外線への発信を行う場合は、局線１２０を捕捉して転送機能付き音声記録装置１０１からの外線発信を行う（Ａ７）。発信相手が応答すると、局線収容部１０４で着信を受けた相手と中継させる。転送機能付き音声記録装置１０１より、料金管理システム１０２に課金開始のメッセージ１０６を送信する際に、不在転送機能を行った電話機１１０の通知を行う（Ａ８）。最後に、メッセージを受信した料金管理システム１０２にて、メッセージに電話機の情報が付加されているかを判断し、課金の対象を転送機能付き音声記録装置１０１ではなく、不在転送機能を使用した電話機１１０にする（Ａ９）。
【００２９】
次に、具体例を用いて説明する。
【００３０】
図３に示すように、転送機能付き音声記録装置１０１に関するデータメモリ１０５に内線１００の転送先ダイヤルを登録しておき、内線１００に不在転送機能を設定しておく。内線１００に局からの着信を受けるが、不在のため、音声記録装置へ不在転送を行う。転送機能付き音声記録装置１０１より内線１００の転送先へ外線発信を行う。課金開始のメッセージを内線１００の情報とともに、料金管理システム１０２へ送信する。外線通話終了後、料金管理システム１０２にて、課金された金額を内線１００の今までの通話料金に上乗せする。
【図面の簡単な説明】
【００３１】
【図１】本発明の一実施の形態を示すブロック図である。
【図２】本発明の一実施の形態を示す動作フロー図である。
【図３】本発明の動作説明図である。
【符号の説明】
【００３２】
１００    ボタン電話主装置
１０１    転送機能付き音声記録装置
１０２    料金管理システム
１０３    端末収容部
１０４    局線収容部
１０５    記憶部
１０６    メッセージ
１１０    電話機
１２０    局線
【図１】
2005045594.tif 000003
【図２】
2005045594.tif 000004
【図３】
2005045594.tif 000005